(57)【要約】【課題】フロント側がミュート／ポーズ状態であっても、リア側の操作でミュート／ポーズ状態が解除されてしまう。【解決手段】ＣＤモード、ＡＭモード及びＦＭモード等の複数の再生モードを選択する再生モード設定部３３と、これら複数の再生モードの内、任意の再生モードを選択して、この任意の再生モードでの再生信号を出力するフロント側のスピーカ５及びリア側のヘッドホン６と、フロント側に関する操作を行うフロント側操作部３と、リア側に関する操作を行うリア側操作部４とを有する本体装置２であって、フロント側及びリア側が同一再生モード中に、フロント側がミュート／ポーズ状態であると判定されると、リア側操作部からミュート／ポーズ状態を解除する操作が行われたとしても、この操作を受け付けずに無効とする制御部４３とを有している。【選択図】  図３
2004161233.tif 000002
【特許請求の範囲】
【請求項１】
複数の再生源と、これら複数の再生源の内、任意の再生源を選択して、この任意の再生源からの再生信号を出力する第１出力手段及び第２出力手段と、前記第１出力手段に関する操作を行う第１操作手段と、前記第２出力手段に関する操作を行う第２操作手段とを有する再生装置であって、
前記第１出力手段及び第２出力手段にて同一再生源が選択され、この選択された再生源からの再生信号が出力停止状態にあると判定されると、前記第２操作手段から、前記出力停止状態を解除する操作が行われたとしても、この出力停止状態の解除を禁止する制御手段を有することを特徴とする再生装置。
【請求項２】
前記制御手段は、
前記第１操作手段からの操作に応じて、前記選択された再生源からの再生信号を出力停止状態にする出力停止設定手段を有することを特徴とする請求項１記載の再生装置。
【請求項３】
前記制御手段は、
割込み信号を検出する割込み検出手段と、
この割込み検出手段にて割込み信号を検出すると、前記選択された再生源からの再生信号を出力停止状態にする出力停止設定手段とを有することを特徴とする請求項１又は２記載の再生装置。
【請求項４】
前記割込み検出手段は、
電話機の使用状態を検出する割込み信号を検出することを特徴とする請求項３記載の再生装置。
【請求項５】
前記第２出力手段は、ヘッドホンであることを特徴とする請求項１、２、３又は４記載の再生装置。
【請求項６】
前記第１出力手段は、前記再生信号を車室内のフロント側に出力し、前記第２出力手段は、前記再生信号を車室内のリア側に出力することを特徴とする請求項１，２，３，４又は５記載の再生装置。
【請求項７】
再生源からの再生信号に関わる出力状態を制御する操作を行う第１操作手段及び第２操作手段を備えた再生装置であって、
前記第１操作手段からの操作に応じて、前記再生源からの再生信号が出力停止状態に設定されると、前記第２操作手段から、前記出力停止状態を解除する操作が行われたとしても、この出力停止状態の解除を禁止する制御手段を有することを特徴とする再生装置。
【請求項８】
再生源からの再生信号に関わる出力状態を制御する操作を行う第１操作手段及び第２操作手段を備えた再生装置であって、
割込み信号を検出する割込み検出手段と、
この割込み検出手段による割込み信号の検出に応じて、前記再生源からの再生信号が出力停止状態に設定されると、前記第１操作手段又は第２操作手段の何れか一方から、前記出力停止状態を解除する操作が行われたとしても、この出力停止状態の解除を禁止する制御手段とを有することを特徴とする再生装置。
【請求項９】
前記第１操作手段及び前記第２操作手段に優先順位を設定する優先順位設定手段を備え、
前記制御手段は、
前記優先順位設定手段にて設定された優先順位に基づいて、前記第１操作手段及び第２操作手段の内、優先順位の低い操作手段から、前記出力停止状態を解除する操作が行われたとしても、この出力停止状態の解除を禁止することを特徴とする請求項８記載の再生装置。
【請求項１０】
複数の再生源と、これら複数の再生源の内、任意の再生源を選択して、この任意の再生源からの再生信号を出力する第１出力手段及び第２出力手段と、前記第１出力手段に関する操作を行う第１操作手段と、前記第２出力手段に関する操作を行う第２操作手段とを有する再生装置であって、
割込み信号を検出する割込み検出手段と、
この割込み検出手段にて割込み信号を検出すると、前記選択された再生源からの再生信号を出力停止状態にする出力停止設定手段と、
前記第１出力手段及び第２出力手段にて同一再生源が選択され、この選択された再生源からの再生信号が出力停止状態にあると判定されると、この出力停止状態の再生信号に関わる操作が第２操作手段から行われたとしても、この操作の受付を禁止する制御手段とを有することを特徴とする再生装置。
【請求項１１】
複数の再生源と、これら複数の再生源の内、任意の再生源を選択して、この任意の再生源からの再生信号を出力する第１出力手段及び第２出力手段と、前記再生源からの再生信号に関わる出力状態を制御する操作を行う第１操作手段及び第２操作手段とを有する再生装置であって、
割込み信号を検出する割込み検出手段と、
この割込み検出手段にて割込み信号を検出すると、前記第１出力手段にて選択した再生源からの再生信号に関わる出力状態を制御する操作が前記第２操作手段から行われたとしても、この第２操作手段の操作の受付を禁止する制御手段とを有することを特徴とする再生装置。
【請求項１２】
前記制御手段は、
前記割込み検出手段にて割込み信号を検出すると、前記第１出力手段にて選択した再生源からの再生信号の音量を調整する操作が前記第２操作手段から行われたとしても、この第２操作手段の操作の受付を禁止することを特徴とする請求項１１記載の再生装置。
【請求項１３】
前記割込み検出手段は、
電話機の使用状態を検出する割込み信号を検出することを特徴とする請求項１１又は１２記載の再生装置。
【請求項１４】
前記第１出力手段は、前記再生信号を車室内のフロント側に出力し、前記第２出力手段は、前記再生信号を車室内のリア側に出力することを特徴とする請求項１１、１２又は１３記載の再生装置。
【発明の詳細な説明】
【０００１】
【発明の属する技術分野】
本発明は、例えばＣＤ、ＭＤ、ＤＶＤ等の記録媒体の再生機能やＡＭ／ＦＭラジオ放送等の受信機能等の再生源からの再生信号を出力制御するための操作を行う第１操作手段（フロント側操作部）及び第２操作手段（リア側操作部）を備えたオーディオ装置等の再生装置に関する。
【０００２】
【従来の技術】
近年、このようなオーディオ装置としては、デュアルメディア機能を備えた車載用オーディオシステムが知られている。
【０００３】
このようなデュアルメディア機能を備えたオーディオ装置としては、複数のスピーカを有し、複数の再生源からの再生信号を同時に再生可能とし、各スピーカの指向性を可変としたものがある(例えば特許文献１)。
【０００４】
では、このような一般的なデュアルメディア機能を備えた車載用オーディオシステムの一例を、図面を用いて説明する。図６は一般的なデュアルメディア機能を備えた車載用オーディオシステムの全体構成を示すシステム構成図である。
【０００５】
図６に示す車載用オーディオシステム１００は、車室内のフロント側に配置され、例えばＣＤ再生機能やＡＭ／ＦＭラジオ等の受信機能を含む複数の再生源を備えた本体装置１０１と、フロント側で本体装置１０１を操作するフロント側操作部１０２と、車室内のリア側で本体装置１０１を遠隔操作するリア側操作部１０３と、本体装置１０１と接続し、この本体装置１０１の再生源からの音声信号を音声出力するスピーカ１０４と、本体装置１０１の再生源からの音声信号を、リア側操作部１０３を経由して音声出力するヘッドホン１０５とを有している。
【０００６】
スピーカ１０４は、フロント側に配置された２台のフロントスピーカ１０４Ａと、リア側に配置された２台のリアスピーカ１０４Ｂとで構成している。また、ヘッドホン１０５は、リア側に配置されるものとする。
【０００７】
また、再生源としては、ＣＤ再生部と、ＡＭ／ＦＭラジオ用チューナ部とを有し、このＡＭ／ＦＭラジオ用チューナ部は、ＡＭチューナ及びＦＭチューナを兼ねて、１台のチューナでＡＭ放送及びＦＭ放送を受信することができる。
【０００８】
尚、フロント側操作部１０２は、フロント側に配置された本体装置１０１の前面パネルに相当し、リア側操作部１０３は、リア側に配置されたリモコン操作部に相当するものである。
【０００９】
また、フロント側操作部１０２及びリア側操作部１０３には、複数の再生源の内、任意の再生源を選択する再生モード選択キー（以下、単にＭＯＤＥキーと称する）、予め登録したラジオ放送局の受信周波数をワンタッチ操作で受信することができるプリセットキー等を有している。尚、再生モードとしては、再生源としてＣＤ再生部を動作選択するＣＤモードと、ＡＭ放送を受信するＡＭ／ＦＭラジオ用チューナ部を動作選択するＡＭモード、ＦＭ放送を受信するＡＭ／ＦＭラジオ用チューナ部を動作選択するＦＭモード等があげられる。
【００１０】
また、フロント側操作部１０２及びリア側操作部１０３は、様々な動作キーを有し、例えばＣＤモード中においてＣＤのトラックを選択再生するトラックＵＰ／ＤＯＷＮキーや、例えばラジオの受信周波数をシーク受信するシークＵＰ／ＤＯＷＮキーや、ＣＤ再生中に、そのＣＤ再生を一時停止したり、ラジオ放送の音声出力をミュートするミュート/ポーズキー等がある。
【００１１】
また、本体装置１０１では、デュアルメディア機能を有し、フロント側操作部１０２からの所定操作に応じて、システム設定モードとしてのシングルモード又はデュアルモードに切換設定することができる。
【００１２】
シングルモードとは、複数の再生源の内、一の再生源からの音声信号をスピーカ１０４からのみ音声出力する設定モードである。
【００１３】
デュアルモードとは、複数の再生源の内、一の再生源からの音声信号をスピーカ１０４で音声出力しながら、他の再生源からの音声信号をヘッドホン１０５で音声出力する設定モードである。
【００１４】
本体装置１０１では、例えばフロント側の搭乗者がＦＭモード、リア側の搭乗者がＣＤモードといったように異なる再生源からの音声信号の提供を求めた場合、フロント側操作部１０２を所定操作することでデュアルモードに設定し、フロント側ではＦＭ放送の音声信号をスピーカ１０４から音声出力し、リア側ではＣＤ再生部からの音声信号をヘッドホン１０５から音声出力することができる。
【００１５】
つまり、フロント側の搭乗者とリア側の搭乗者とは、スピーカ１０４及びヘッドホン１０５を通じて、夫々異なる再生源からの音声信号を受聴することができる。
【００１６】
このようなデュアルメディア機能を備えた車載用オーディオシステム１００によれば、フロント側操作部１０２の所定操作に応じてデュアルモードに設定可能とし、このデュアルモード中においては、スピーカ１０４及びヘッドホン１０５を通じて、異なる再生源からの音声信号をフロント側及びリア側に夫々提供するようにしたので、フロント側及びリア側の搭乗者は、夫々異なる再生源からの音声信号を受聴することができる。尚、この車載用オーディオシステム１００においては、デュアルモード中にフロント側及びリア側で同一再生源（同一再生モード）を選択可能とし、同一再生源からの音声信号をフロント側及びリア側に夫々提供することができることは言うまでもない。
【００１７】
また、このようなデュアルメディア機能を備えた車載用オーディオシステム１００によれば、シングルモード中及びデュアルモード中においてもフロント側操作部１０２及びリア側操作部１０３からのキー操作を全て有効に受け付けていたので、フロント側の搭乗者及びリア側の搭乗者は、これらフロント側操作部１０２及びリア側操作部１０３を通じて所望の動作を得ることができる。
【００１８】
また、このようなデュアルメディア機能を備えた車載用オーディオシステム１００によれば、電話割込み機能を有し、この電話割込み機能で電話の使用を検出すると、自動的にミュート／ポーズ機能を起動して音声出力中の音声信号を出力停止状態にすることで、その電話の使用環境を良好にすることができる。
【００１９】
【特許文献１】
特開平１１−７５２８４号(図１及び要約書参照)
【００２０】
【発明が解決しようとする課題】
しかしながら、上記一般的なデュアルメディア機能を備えた車載用オーディオシステム１００によれば、デュアルモード中であってもリア側操作部１０３のキー操作を全て有効に受け付けるようにしたので、例えばデュアルモード中にフロント側及びリア側で同一再生モード中、例えばＣＤモード中に、フロント側の搭乗者が、例えば話をする目的で、フロント側操作部１０２のミュート／ポーズキーをキー操作することでＣＤ再生を一時停止状態（出力停止状態）にしたにも関わらず、フロント側搭乗者の意思に反して、リア側搭乗者によるリア側操作部１０３の所定操作に応じて、その一時停止状態が勝手に解除されてしまう。
【００２１】
また、このような車載用オーディオシステム１００によれば、例えばデュアルモード中にフロント側及びリア側で同一再生モード中、例えばＣＤモード中に、電話割り込み機能で電話の使用を検出して、そのＣＤ再生を一時停止状態（出力停止状態）にしたにも関わらず、フロント側搭乗者の意思に反して、リア側搭乗者によるリア側操作部１０３の動作キー、例えばＣＤモード中のトラックＵＰ／ＤＯＷＮキーをキー操作することで、その一時停止状態が勝手に解除されてしまうどころか、その再生トラック位置まで勝手に切り換えられてしまう。
【００２２】
また、このような車載用オーディオシステム１００によれば、シングルモード中であってもリア側操作部１０３のキー操作を全て有効に受け付けるようにしたので、例えばシングルモード中にフロント側の搭乗者が、話をする目的で、フロント側操作部１０２のミュート／ポーズキーをキー操作することでＣＤ再生を一時停止状態にしたにも関わらず、フロント側搭乗者の意思に反して、リア側搭乗者によるリア側操作部１０３の所定操作に応じて、その一時停止状態が勝手に解除されてしまう。
【００２３】
また、このような車載用オーディオシステム１００によれば、例えばデュアルモード中にフロント側及びリア側で夫々再生モード中、例えばフロント側がＣＤモード中に、電話割り込み機能で電話の使用を検出して、そのＣＤ再生を一時停止状態（出力停止状態）にするようにしたが、リア側操作部１０３ではフロント側のＣＤモードを制御するキー操作、例えば音量調整やトラックＵＰ／ＤＯＷＮ等のキー操作を受付可能としていることから、フロント側搭乗者の意思に反して、リア側搭乗者によるリア側操作部１０３のキー操作による、例えば音量調整でフロント側搭乗者の通話が邪魔されてしまう。
【００２４】
本発明は上記点に鑑みてなされたものであり、その目的とするところは、フロント側及びリア側で同一再生源を選択中に、この再生源からの再生信号が出力停止状態の場合には、リア側からの操作が行われたとしても、この出力停止状態が解除されてしまうような事態を確実に防止することができる再生装置を提供することにある。
【００２５】
また、本発明の目的とするところは、フロント側及びリア側で同一再生源を選択中に電話割込み機能で割り込みを検出し、この再生源からの再生信号が出力停止状態の場合には、この出力停止状態の再生信号に関わるリア側からの操作が行われたとしても、この出力停止状態が解除されてしまうどころか、その操作が有効に受け付けられてしまうのを確実に防止することができる再生装置を提供することにある。
【００２６】
また、本発明の目的とするところは、フロント側で再生源からの再生信号が出力停止状態の場合には、リア側からの操作が行われたとしても、この出力停止状態が解除されてしまうような事態を確実に防止することができる再生装置を提供することにある。
【００２７】
また、本発明の目的とするところは、電話使用中においては、その通話を邪魔するようなリア側の操作を確実に防止することができる再生装置を提供することにある。
【００２８】
【課題を解決するための手段】
上記目的を達成するために本発明の再生装置は、複数の再生源と、これら複数の再生源の内、任意の再生源を選択して、この任意の再生源からの再生信号を出力する第１出力手段及び第２出力手段と、前記第１出力手段に関する操作を行う第１操作手段と、前記第２出力手段に関する操作を行う第２操作手段とを有する再生装置であって、前記第１出力手段及び第２出力手段にて同一再生源が選択され、この選択された再生源からの再生信号が出力停止状態にあると判定されると、前記第２操作手段から、前記出力停止状態を解除する操作が行われたとしても、この出力停止状態の解除を禁止する制御手段を有するようにした。
【００２９】
従って、本発明の再生装置によれば、第１出力手段及び第２出力手段にて同一再生源が選択され、この選択された再生源からの再生信号が出力停止状態にあると判定されると、第２操作手段から、前記出力停止状態を解除する操作が行われたとしても、この出力停止状態の解除を禁止するようにしたので、例えば第１出力手段（フロント側）及び第２出力手段（リア側）で同一再生源を選択中に、この再生源からの再生信号が出力停止状態の場合には、第２操作手段（リア側）からの操作が行われたとしても、勝手に、この出力停止状態が解除されてしまうような事態を確実に防止することができる。
【００３０】
また、本発明の再生装置は、前記制御手段が、前記第１操作手段からの操作に応じて、前記選択された再生源からの再生信号を出力停止状態にする出力停止設定手段を有するようにした。
【００３１】
従って、本発明の再生装置によれば、第１出力手段及び第２出力手段にて同一再生源を選択中に、第１操作手段の操作にて同再生源からの再生信号を出力停止状態にしたと判定されると、第２操作手段から、出力停止状態を解除する操作が行われたとしても、この出力停止状態の解除を禁止するようにしたので、例えば第１出力手段（フロント側）及び第２出力手段（リア側）で同一再生源を選択中に、第１操作手段（フロント側）からの操作で、この再生源からの再生信号が出力停止状態の場合には、第２操作手段（リア側）からの操作が行われたとしても、勝手に、この出力停止状態が解除されてしまうような事態を確実に防止することができる。
【００３２】
本発明の再生装置は、前記制御手段が、割込み信号を検出する割込み検出手段と、この割込み検出手段にて割込み信号を検出すると、前記選択された再生源からの再生信号を出力停止状態にする出力停止設定手段とを有するようにした。
【００３３】
従って、本発明の再生装置によれば、第１出力手段及び第２出力手段にて同一再生源を選択中に、割込み検出信号に基づいて同再生源からの再生信号を出力停止状態にしたと判定されると、第２操作手段から、出力停止状態を解除する操作が行われたとしても、この出力停止状態の解除を禁止するようにしたので、例えば第１出力手段（フロント側）及び第２出力手段（リア側）で同一再生源を選択中に、割込み検出信号に基づいて、この再生源からの再生信号が出力停止状態の場合には、第２操作手段（リア側）からの操作が行われたとしても、勝手に、この出力停止状態が解除されてしまうような事態を確実に防止することができる。
【００３４】
本発明の再生装置は、前記割込み検出手段が、電話機の使用状態を検出する割込み検出信号を検出するようにした。
【００３５】
従って、本発明の再生装置によれば、電話機の使用状態を検出する割込み検出信号に基づいて、同一再生源からの再生信号が出力停止状態になったと判定されると、第２操作手段から、出力停止状態を解除する操作が行われたとしても、この出力停止状態の解除を禁止するようにしたので、例えば第１出力手段（フロント側）及び第２出力手段（リア側）で同一再生源を選択中に、電話機の使用状態を検出する割込み検出信号に基づいて、この再生源からの再生信号が出力停止状態の場合には、第２操作手段（リア側）からの操作が行われたとしても、勝手に、この出力停止状態が解除されてしまうような事態を確実に防止することができる。
【００３６】
本発明の再生装置は、前記第２出力手段をヘッドホンとした。
【００３７】
従って、本発明の再生装置によれば、第２出力手段をヘッドホンとしたので、例えば第１出力手段（フロント側）及び第２出力手段（リア側）でフロント側の搭乗者及びリア側の搭乗者に対して夫々の再生信号を音声出力することができる。
【００３８】
本発明の再生装置は、前記第１出力手段は、前記再生信号を車室内のフロント側に出力し、前記第２出力手段は、前記再生信号を車室内のリア側に出力するようにした。
【００３９】
従って、本発明の再生装置によれば、第１出力手段で再生信号を車室内のフロント側に出力し、第２出力手段で再生信号を車室内のリア側に出力するようにしたので、例えば第１出力手段（フロント側）及び第２出力手段（リア側）でフロント側の搭乗者及びリア側の搭乗者に対して夫々の再生信号を音声出力することができる。
【００４０】
また、上記目的を達成するために本発明の再生装置は、再生源からの再生信号に関わる出力状態を制御する操作を行う第１操作手段及び第２操作手段を備えた再生装置であって、前記第１操作手段からの操作に応じて、前記再生源からの再生信号が出力停止状態に設定されると、前記第２操作手段から、前記出力停止状態を解除する操作が行われたとしても、この出力停止状態の解除を禁止する制御手段を有するようにした。
【００４１】
従って、本発明の再生装置によれば、前記第１操作手段からの操作に応じて、前記再生源からの再生信号が出力停止状態に設定されると、前記第２操作手段から、前記出力停止状態を解除する操作が行われたとしても、この出力停止状態の解除を禁止するようにしたので、例えばフロント側の第１操作手段の操作で再生源からの再生信号を出力停止状態とした場合、第２出力手段（リア側）からの操作が行われたとしても、この出力停止状態が解除されてしまうような事態を確実に防止することができる。
【００４２】
また、上記目的を達成するために本発明の再生装置は、再生源からの再生信号に関わる出力状態を制御する操作を行う第１操作手段及び第２操作手段を備えた再生装置であって、割込み検出信号を検出する割込み検出手段と、この割込み検出手段による割込み検出信号の検出に応じて、前記再生源からの再生信号が出力停止状態に設定されると、前記第１操作手段又は第２操作手段の何れか一方から、前記出力停止状態を解除する操作が行われたとしても、この出力停止状態の解除を禁止する制御手段とを有するようにした。
【００４３】
従って、本発明の再生装置によれば、割込み検出信号の検出に応じて、前記再生源からの再生信号が出力停止状態に設定されると、前記第１操作手段又は第２操作手段の何れか一方から、前記出力停止状態を解除する操作が行われたとしても、この出力停止状態の解除を禁止するようにしたので、割込み検出信号に基づいて再生源からの再生信号を出力停止状態とした場合、第２出力手段（リア側）からの操作が行われたとしても、この出力停止状態が解除されてしまうような事態を確実に防止することができる。
【００４４】
また、本発明の再生装置は、前記第１操作手段及び前記第２操作手段に優先順位を設定する優先順位設定手段を備え、前記制御手段が、前記優先順位設定手段にて設定された優先順位に基づいて、前記第１操作手段及び第２操作手段の内、優先順位の低い操作手段から、前記出力停止状態を解除する操作が行われたとしても、この出力停止状態の解除を禁止するようにした。
【００４５】
従って、本発明の再生装置によれば、第１操作手段及び第２操作手段に優先順位を設定可能とし、優先順位の低い操作手段から、出力停止状態を解除する操作が行われたとしても、この出力停止状態の解除を禁止するようにしたので、出力停止状態を解除できない操作手段をユーザ側で適宜設定することができる。
【００４６】
また、上記目的を達成するために本発明の再生装置は、複数の再生源と、これら複数の再生源の内、任意の再生源を選択して、この任意の再生源からの再生信号を出力する第１出力手段及び第２出力手段と、前記第１出力手段に関する操作を行う第１操作手段と、前記第２出力手段に関する操作を行う第２操作手段とを有する再生装置であって、割込み検出信号を検出する割込み検出手段と、この割込み検出手段にて割込み検出信号を検出すると、前記選択された再生源からの再生信号を出力停止状態にする出力停止設定手段と、前記第１出力手段及び第２出力手段にて同一再生源が選択され、この選択された再生源からの再生信号が出力停止状態にあると判定されると、この出力停止状態の再生信号に関わる操作が第２操作手段から行われたとしても、この操作の受付を禁止する制御手段とを有するようにした。
【００４７】
従って、本発明の再生装置によれば、例えば電話機の使用状態を検出する割込み検出信号に基づいて、同一再生源からの再生信号が出力停止状態になったと判定されると、この出力停止状態の再生信号に関わる操作が第２操作手段から行われたとしても、この操作の受付を禁止するようにしたので、例えば第１出力手段（フロント側）及び第２出力手段（リア側）で同一再生源を選択中に、電話機の使用状態を検出する割込み検出信号に基づいて、この再生源からの再生信号が出力停止状態の場合、この出力停止状態の再生信号に関わる第２操作手段（リア側）からの操作が行われたとしても、この操作が有効に受け付けられてしまうのを確実に防止することができる。
【００４８】
上記目的を達成するために本発明の再生装置は、複数の再生源と、これら複数の再生源の内、任意の再生源を選択して、この任意の再生源からの再生信号を出力する第１出力手段及び第２出力手段と、前記再生源からの再生信号に関わる出力状態を制御する操作を行う第１操作手段及び第２操作手段とを有する再生装置であって、割込み信号を検出する割込み検出手段と、この割込み検出手段にて割込み信号を検出すると、前記第１出力手段にて選択した再生源からの再生信号に関わる出力状態を制御する操作が前記第２操作手段から行われたとしても、この第２操作手段の操作の受付を禁止する制御手段とを有するようにした。
【００４９】
従って、本発明の再生装置によれば、例えば電話機の使用状態を検出すると、第１出力手段(フロント側)にて選択した再生源からの再生信号に関わる出力状態を制御する操作が第２操作手段(リア側)から行われたとしても、この第２操作手段の操作の受付を禁止するようにしたので、電話中に、例えば通話の邪魔となるような制御に関わる第２操作手段（リア側）の操作が有効に受け付けられてしまうような事態を確実に防止することで、良好な通話環境を提供することができる。
【００５０】
本発明の再生装置は、前記制御手段が、前記割込み検出手段にて割込み信号を検出すると、前記第１出力手段にて選択した再生源からの再生信号の音量を調整する操作が前記第２操作手段から行われたとしても、この第２操作手段の操作の受付を禁止するようにした。
【００５１】
従って、本発明の再生装置によれば、例えば電話機の使用状態を検出すると、第１出力手段(フロント側)にて選択した再生源からの再生信号の音量を調整する操作が第２操作手段(リア側)から行われたとしても、この第２操作手段の操作の受付を禁止するようにしたので、電話中に、例えばフロント側の通話の邪魔となるような音量調整に関わる第２操作手段（リア側）の操作が有効に受け付けられてしまうような事態を確実に防止することで、良好な通話環境を提供することができる。
【００５２】
本発明の再生装置は、前記第１出力手段は、前記再生信号を車室内のフロント側に出力し、前記第２出力手段は、前記再生信号を車室内のリア側に出力するようにした。
【００５３】
従って、本発明の再生装置によれば、第１出力手段で再生信号を車室内のフロント側に出力し、第２出力手段で再生信号を車室内のリア側に出力するようにしたので、例えば第１出力手段（フロント側）及び第２出力手段（リア側）でフロント側の搭乗者及びリア側の搭乗者に対して夫々の再生信号を音声出力することができる。
【００５４】
【発明の実施の形態】
以下、図面に基づいて本発明の再生装置における実施の形態を示すデュアルメディア機能を備えた車載用オーディオシステムについて説明する。図１は本実施の形態を示す車載用オーディオシステムの全体構成を示すシステム構成図である。
【００５５】
図１に示す車載用オーディオシステム１は、車室内のフロント側に配置され、例えばＣＤ再生機能やＡＭ／ＦＭラジオ等の受信機能を含む複数の再生源を備えた本体装置２と、フロント側で本体装置２を操作するフロント側操作部３と、車室内のリア側で本体装置２を遠隔操作するリア側操作部４と、本体装置２と接続し、この本体装置２の再生源からの音声信号を音声出力するスピーカ５と、本体装置２と接続し、この本体装置２の再生源からの音声信号を音声出力するヘッドホン６とを有している。
【００５６】
さらに、車載用オーディオシステム１は、本体装置２と外部接続する電子機器、例えば外部ＤＶＤ装置７を有している。
【００５７】
スピーカ５は、フロント側に配置された２台のフロントスピーカ５Ａと、リア側に配置された２台のリアスピーカ５Ｂとで構成している。また、ヘッドホン６は、リア側に配置されるものとする。
【００５８】
また、再生源としては、後述するように、ＣＤ再生機能、衛星放送（以下、単にＳＡＴと称する）ラジオ受信機能やＡＭ／ＦＭラジオ機能を有している。
【００５９】
尚、フロント側操作部３は、フロント側に配置された本体装置２の前面パネルに相当し、リア側操作部４は、リア側に配置されたリモコン操作部に相当するものである。
【００６０】
また、フロント側操作部３及びリア側操作部４には、複数の再生源の内、任意の再生源を選択する再生モード選択キー（以下、単にＭＯＤＥキーと称する）や、予め登録したラジオ放送局の受信周波数をワンタッチ操作で受信することができるプリセットキー（以下、単にＮＥＸＴキーと称する）等を有している。
【００６１】
図２は本実施の形態に関わる本体装置２内部の概略構成を示すブロック図である。
【００６２】
図２に示す本体装置２は、外部ＤＶＤ装置７と接続する外部接続部１１と、複数の再生源として、ＣＤ再生部１２、ＡＭ／ＦＭラジオ用チューナ部１３やＳＡＴラジオ用チューナ部１４と、外部ＤＶＤ装置７、ＣＤ再生部１２、ＡＭ／ＦＭラジオ用チューナ部１３及びＳＡＴラジオ用チューナ部１４を含めた複数の再生源の内、スピーカ５へ出力する音声信号の再生源を選択するスピーカ出力切換部１５と、複数の再生源の内、ヘッドホン６へ出力する音声信号の再生源を選択するヘッドホン出力切換部１６と、スピーカ出力切換部１５で選択した再生源からスピーカ５への音声信号をミュート制御するスピーカ側ミュート回路１７と、リアスピーカ５Ｂへの音声信号をミュート制御するリアスピーカ側ミュート回路１８と、ヘッドホン出力切換部１６で選択した再生源からヘッドホン６への音声信号をミュート制御するヘッドホン側ミュート回路１９と、様々な情報を表示する表示部２０と、この本体装置２全体を制御するマイコン２１とを有している。
【００６３】
ＡＭ／ＦＭラジオ用チューナ部１３は、ＡＭチューナ及びＦＭチューナを兼ねて、１台のチューナでＡＭ放送及びＦＭ放送を受信するものである。
【００６４】
本体装置２は、システム設定モードとしてのシングルモード又はデュアルモードに切換設定可能とするデュアルメディア機能を有し、フロント側操作部３及びリア側操作部４に設けたＳＰ／ＨＰキーのキー操作で、シングルモード又はデュアルモードに切換設定することができる。
【００６５】
シングルモードとは、複数の再生源の内、一の再生源からの音声信号をスピーカ５からのみ音声出力する設定モードである。
【００６６】
デュアルモードとは、複数の再生源の内、一の再生源からの音声信号をスピーカ５で音声出力しながら、同一の再生源若しくは他の再生源からの音声信号をヘッドホン６で音声出力する設定モードである。
【００６７】
また、本体装置２は、複数の再生モードを有し、前述したＭＯＤＥキーで切換選択可能である。尚、再生モードとしては、ＣＤ再生部１２を動作選択するＣＤモードと、衛星放送を受信するＳＡＴラジオ用チューナ部１４を動作選択するＳＡＴモードと、ＡＭ放送を受信するＡＭ／ＦＭラジオ用チューナ部１３を動作選択するＡＭモードと、ＦＭ放送を受信するＡＭ／ＦＭラジオ用チューナ部１３を動作選択するＦＭモードと、外部ＤＶＤ装置７を動作選択するＤＶＤモードとがある。
【００６８】
また、フロント側操作部３及びリア側操作部４は、様々な動作キーを有し、例えばＣＤモード中においてＣＤのトラックを選択再生するトラックＵＰ／ＤＯＷＮキーや、例えばラジオの受信周波数をシーク受信するシークＵＰ／ＤＯＷＮキーや、ＣＤ再生中に、そのＣＤ再生を一時停止したり、ラジオ放送の音声出力をミュートするミュート／ポーズキー等がある。
【００６９】
図３は本実施の形態に関わる本体装置２のマイコン２１内部の概略構成を示すブロック図である。
【００７０】
図３に示すマイコン２１は、外部接続部１１を通じて外部ＤＶＤ装置７を監視する外部接続監視部３１と、例えばＣＤモード、ＳＡＴモード、ＡＭモード、ＦＭモードやＤＶＤモード等の再生モードに関わる設定内容を記憶した再生モード設定メモリ３２と、例えばＭＯＤＥキーのモード選択操作に応じて再生モードに対応した設定内容を再生モード設定メモリ３２から読み出し、この設定内容に基づいて同再生モードを設定する再生モード設定部３３と、この再生モード設定部３３にて設定した再生モードに基づいてスピーカ出力切換部１５及びヘッドホン出力切換部１６を制御する出力切換制御部３４と、スピーカ側ミュート回路１７、リアスピーカ側ミュート回路１８及びヘッドホン側ミュート回路１９を制御するミュート制御部３５と、例えばＮＥＸＴキーのプリセットチャンネル（以下、単にＰｃｈと称する）選択操作に応じて受信可能とする各ラジオ放送局の受信周波数を記憶したＰｃｈメモリ３６と、フロント側操作部３及びリア側操作部４からの入力操作を検出する操作検出部３７と、表示部２０を表示制御する表示制御部３８と、例えばシングルモードやデュアルモード等のシステム設定モードに関わる設定内容を記憶したモード設定記憶部３９と、このモード設定記憶部３９に記憶した設定内容に基づいてシステム設定モードを設定するモード設定部４０と、出力切換制御部３４及びミュート制御部３５の動作状態に基づいてミュート／ポーズ状態を監視するミュート/ポーズ監視部４１と、電話の使用状態を示す電話割込み検出信号を検出するＴＥＬ割込み検出部４２と、このマイコン２１全体を制御する制御部４３とを有している。
【００７１】
再生モード設定部３３では、操作検出部３７を通じてフロント側操作部３及びリア側操作部４からのＭＯＤＥキーのモード選択操作を監視し、このモード選択操作の再生モードに対応した設定内容を再生モード設定メモリ３２から読み出し、この設定内容に基づいて同再生モードを設定するものである。尚、ＭＯＤＥキーはトグル方式を採用し、例えばＡＭモード→ＦＭモード→ＳＡＴモード→ＣＤモード→ＤＶＤモード→ＡＭモード→ＦＭモード…といった順序で再生モードを選択するものである。
【００７２】
Ｐｃｈメモリ３６は、例えば６個のメモリ領域Ｐｃｈ−１〜Ｐｃｈ−６で構成し、各メモリ領域にはＡＭ放送、ＦＭ放送やＳＡＴ放送の所定放送局に関わる受信周波数が夫々記憶されている。例えばＰｃｈ−１ではＡＭ放送局の受信周波数、Ｐｃｈ−２ではＦＭ放送局の受信周波数、Ｐｃｈ−３ではＡＭ放送局の受信周波数、Ｐｃｈ−４ではＳＡＴ放送局の受信周波数、Ｐｃｈ−５ではＡＭ放送局の受信周波数、Ｐｃｈ−６ではＦＭ放送局の受信周波数が記憶されているものとする。
【００７３】
制御部４３では、操作検出部３７を通じてフロント側操作部３及びリア側操作部４からのＮＥＸＴキーのＰｃｈ選択操作を監視し、このＰｃｈ選択操作のＰｃｈに記憶した受信周波数を読み出し、ＡＭ／ＦＭラジオ用チューナ部１３又はＳＡＴラジオ用チューナ部１４を通じて、この受信周波数の受信動作を実行するものである。尚、ＮＥＸＴキーはトグル方式を採用し、例えばＰｃｈ−１→Ｐｃｈ−２→Ｐｃｈ−３→Ｐｃｈ−４→Ｐｃｈ−５→Ｐｃｈ−６→Ｐｃｈ−１→Ｐｃｈ−２…といった順序でＰｃｈを選択するものである。
【００７４】
モード設定記憶部３９は、シングルモードの設定内容を記憶したシングルモード設定メモリ３９Ａと、デュアルモードの設定内容を記憶したデュアルモード設定メモリ３９Ｂと、本体装置２の電源ＯＦＦ直前に設定していたフロント側の再生モードをラスト再生源として記憶するラストモード設定メモリ３９Ｃとを有している。
【００７５】
尚、ラストモード設定メモリ３９Ｃは、本体装置２の電源がＯＦＦされると、この電源ＯＦＦ直前のスピーカ５で音声出力していた最後の再生モードをラスト再生源として記憶するものである。
【００７６】
シングルモード設定メモリ３９Ａに記憶するシングルモードの設定内容としては、フロントスピーカ５Ａ及びリアスピーカ５Ｂからの音声出力のみを有効とする設定モードであることから、スピーカ側ミュート回路１７及びリアスピーカ側ミュート回路１８をミュートＯＦＦ、ヘッドホン側ミュート回路１９をミュートＯＮとしている。
【００７７】
デュアルモード設定メモリ３９Ｂに記憶するデュアルモードの設定内容としては、フロントスピーカ５Ａ及びヘッドホン６からの音声出力を異なる再生源若しくは同一の再生源とし、これらフロントスピーカ５Ａ及びヘッドホン６からの音声出力を有効とする設定モードであることから、スピーカ側ミュート回路１７をミュートＯＦＦ、リアスピーカ側ミュート回路１８をミュートＯＮ、ヘッドホン側ミュート回路１９をミュートＯＦＦとしている。尚、フロント側の出力手段はフロントスピーカ５Ａのみ、リア側の出力手段はヘッドホン６のみとなる。
【００７８】
モード設定部４０は、デュアルモード設定メモリ３９Ｂ及びシングルモード設定メモリ３９Ａの設定内容に基づいてシステム設定モードを設定し、さらに、ミュート制御部３５では、その設定内容に基づいて、スピーカ側ミュート回路１７、リアスピーカ側ミュート回路１８及びヘッドホン側ミュート回路１９を制御するものである。
【００７９】
出力切換制御部３４は、複数の再生源の内、指定の再生源からの音声信号を出力選択するスピーカ出力切換部１５及びヘッドホン出力切換部１６を制御するものである。
【００８０】
また、制御部４３は、操作検出部３７を通じてフロント側操作部３又はリア側操作部４のミュート／ポーズキーのキー操作を検出すると、現在の再生モードで指定された再生源からの音声信号を出力停止状態（ミュート／ポーズ状態）とすべく、出力切換制御部３４及びミュート制御部３５を制御するものである。
【００８１】
また、制御部４３は、ＴＥＬ割込み検出部４２にて電話割込み検出信号を検出すると、フロント側の現在の再生モードで指定された再生源からの音声信号を出力停止状態（ミュート／ポーズ状態）とすべく、出力切換制御部３４及びミュート制御部３５を制御するものである。尚、制御部４３では、例えばデュアルモード中に電話割込み検出信号を検出すると、フロント側の現在の再生モードで指定された再生源からの音声信号を出力停止状態（ミュート／ポーズ状態）にするが、この再生源からの音声信号の代わりに電話の通話音声信号を音声出力するものである。
【００８２】
本体装置２では、基本的にフロント側操作部３からのキー操作は全て有効に受け付けるようにしているが、リア側操作部４からのキー操作の受け付けについては、次のような制約がある。
【００８３】
本体装置２では、デュアルモード中で同一再生モード中、かつ、その再生源からの再生信号がミュート／ポーズ状態（出力停止状態）の場合には、リア側操作部４からＳＰ／ＨＰキー及びＭＯＤＥキーのキー操作のみを有効に受け付け、これらＳＰ／ＨＰキー及びＭＯＤＥキー以外のキー操作を受け付けないようにしている。
【００８４】
尚、本体装置２では、デュアルモード中で同一再生モード中、かつ、その再生信号がミュート／ポーズ状態の場合には、リア側操作部４からＭＯＤＥキーで他の再生モードが選択されると、フロント側には何ら影響を与えることがないことから、全てのキー操作を有効に受け付けるものとする。
【００８５】
また、本体装置２では、デュアルモード中で同一再生モード中、かつ、その再生信号がミュート／ポーズ状態の場合には、リア側操作部４からＳＰ／ＨＰキーでシングルモードが選択されると、ミュート／ポーズ状態を継続したまま、シングルモードに設定するものである。
【００８６】
また、本体装置２では、シングルモード中で再生源からの再生信号がミュート／ポーズ状態（出力停止状態）の場合には、リア側操作部４からＳＰ／ＨＰキーのキー操作のみを有効に受け付け、このＳＰ／ＨＰキー以外のキー操作を受け付けないようにしている。
【００８７】
尚、本体装置２では、シングルモード中で再生信号がミュート／ポーズ状態の場合、リア側操作部４からＳＰ／ＨＰキーでデュアルモードが選択されると、フロント側のミュート／ポーズ状態を継続したまま、デュアルモードに設定するものである。
【００８８】
尚、請求項記載の再生装置は本体装置２、再生源はＣＤ再生部１２（ＣＤモード）、ＡＭ／ＦＭラジオ用チューナ部１３（ＡＭモード及びＦＭモード）、ＳＡＴラジオ用チューナ部１４（ＳＡＴモード）及び外部ＤＶＤ装置７（ＤＶＤモード）、第１出力手段はスピーカ５、出力切換制御部３４及びミュート制御部３５、第２出力手段はヘッドホン６、出力切換制御部３４及びミュート制御部３５、第１操作手段はフロント側操作部３、第２操作手段はリア側操作部４、制御手段及び出力停止設定手段は、制御部４３、出力切換制御部３４及びミュート制御部３５、割込み検出手段はＴＥＬ割込み検出部４２、出力停止状態とはミュート／ポーズ状態に相当するものである。
【００８９】
次に本実施の形態を示す車載用オーディオシステム１の動作について説明する。
【００９０】
本体装置２のマイコン２１は、例えばシングルモード中にＤＶＤモードが設定されると、出力切換制御部３２では、外部ＤＶＤ装置７からの音声信号を選択出力するようにスピーカ出力切換部１５を制御する。
【００９１】
さらに、ミュート制御部３３では、シングルモード設定メモリ３６Ａに記憶中の設定内容に基づいて、スピーカ側ミュート回路１７及びリアスピーカ側ミュート回路１８をミュートＯＦＦし、ヘッドホン側ミュート回路１９をミュートＯＮする。
【００９２】
つまり、本体装置２では、外部ＤＶＤ装置７からの音声信号をフロントスピーカ５Ａ及びリアスピーカ５Ｂからのみ音声出力し、ヘッドホン６からは音声出力しない。
【００９３】
また、本体装置２のマイコン２１は、フロント側をＣＤモード、リア側をＤＶＤモードに設定するデュアルモードが設定されると、出力切換制御部３２では、ＣＤ再生部１２からの音声信号をフロント側に選択出力するようにスピーカ出力切換部１５を制御し、外部ＤＶＤ装置７からの音声信号をリア側に選択出力するようにヘッドホン出力切換部１６を制御する。
【００９４】
さらに、ミュート制御部３３では、デュアルモード設定メモリ３６Ｂに記憶中の通常デュアルモードの設定内容に基づいて、スピーカ側ミュート回路１７をミュートＯＦＦ、リアスピーカ側ミュート回路１８をミュートＯＮ、ヘッドホン側ミュート回路１９をミュートＯＦＦする。
【００９５】
本体装置２では、リアスピーカ５Ｂからは音声出力することなく、フロントスピーカ５Ａからのみ、ＣＤ再生部１２からの音声信号を音声出力し、ヘッドホン６からは外部ＤＶＤ装置７からの音声信号を音声出力することができる。つまり、フロント側ではＣＤ再生部１２からの音声信号、リア側では外部ＤＶＤ装置７からの音声信号を音声出力することになる。
【００９６】
次に本体装置２のリア側操作キー受付処理について説明する。図４は本体装置２のリア側操作キー受付処理に関わるマイコン２１の処理動作を示すフローチャートである。
【００９７】
図４に示すリア側操作キー受付処理とは、リア側操作部４からの各種キー操作を有効に受け付けるか、若しくは、受け付けずに無効にするかを判断する本体装置２のキー受付処理である。
【００９８】
図４においてマイコン２１の制御部４３は、操作検出部３７を通じてリア側操作部４からのキー操作を検出したか否かを判定する（ステップＳ１１）。
【００９９】
制御部４３は、リア側操作部４からのキー操作を検出したのであれば、そのキー操作はＳＰ／ＨＰキーであるか否かを判定する（ステップＳ１２）。
【０１００】
制御部４３は、ＳＰ／ＨＰキーのキー操作であると判定されると、現在のシステム設定モードがシングルモードであるか否かを判定する（ステップＳ１３）。
【０１０１】
制御部４３は、シングルモードであると判定されると、リア側操作部４からのＳＰ／ＨＰキーのキー操作を有効に受け付け、このキー操作に応じてデュアルモードに設定することで（ステップＳ１４）、この処理動作を終了する。
【０１０２】
また、制御部４３は、ステップＳ１３にて現在のシステム設定モードがシングルモードでないと判定されると、現在のシステム設定モードがデュアルモードであると判断し、リア側操作部４のＳＰ／ＨＰキーのキー操作を有効に受け付け、このキー操作に応じてシングルモードに設定することで（ステップＳ１５）、この処理動作を終了する。
【０１０３】
また、制御部４３は、ステップＳ１２にてリア側操作部４からのキー操作がＳＰ／ＨＰキーでないと判定されると、そのキー操作がＭＯＤＥキーのキー操作であるか否かを判定する（ステップＳ１６）。
【０１０４】
制御部４３は、ＭＯＤＥキーのキー操作であると判定されると、現在のシステム設定モードがシングルモードであるか否かを判定する（ステップＳ１７）。
【０１０５】
制御部４３は、現在のシステム設定モードがシングルモードであると判定されると、ミュート／ポーズ監視部４１を通じて、フロント側がミュート／ポーズ状態であるか否かを判定する（ステップＳ１８）。尚、フロント側がミュート／ポーズ状態とは、例えばフロント側操作部３からのミュート／ポーズキーによるキー操作に応じて音声信号を出力停止状態とした場合や、例えば電話割込み検出信号を検出することで、音声信号を出力停止状態とした場合等に相当するものである。
【０１０６】
制御部４３は、フロント側がミュート／ポーズ状態であると判定されると、リア側操作部４からのキー操作（ＭＯＤＥキー）を受け付けずに無効とし、そのキー操作が無効である旨をユーザに通知すべく、操作無効通知を表示部２０に表示出力させることで（ステップＳ１９）、この処理動作を終了する。尚、シングルモード中、かつ、フロント側がミュート／ポーズ状態の場合、フロント側のミュート／ポーズ状態を継続したまま、リア側操作部４のＭＯＤＥキーによる再生モード選択操作を受け付けず無効とする。
【０１０７】
制御部４３は、ステップＳ１８にてフロント側がミュート／ポーズ状態でないと判定されると、現在のシステム設定モードがシングルモード中であることから、リア側操作部４のＭＯＤＥキーのキー操作を有効に受け付け、このキー操作に応じた再生モードをフロント側及びリア側に設定することで（ステップＳ２０）、この処理動作を終了する。尚、制御部４３の再生モード設定部３３は、例えばＣＤモードを設定するリア側操作部４のＭＯＤＥキーのキー操作を受け付けると、フロント側及びリア側をＣＤモードに設定するものである。
【０１０８】
また、制御部４３は、ステップＳ１７にて現在のシステム設定モードがシングルモードでないと判定されると、デュアルモードであると判断し、リア側操作部４のＭＯＤＥキーのキー操作を有効に受け付け、このキー操作に応じた再生モードをリア側にのみ設定することで（ステップＳ２１）、この処理動作を終了する。尚、制御部４３の再生モード設定部３３は、例えばＣＤモードを設定するリア側操作部４のＭＯＤＥキーのキー操作を有効に受け付けると、リア側をＣＤモードに設定するものである。
【０１０９】
また、制御部４３は、ステップＳ１６にてリア側操作部４のキー操作がＭＯＤＥキーでないと判定されると、現在のシステム設定モードがシングルモードであるか否かを判定する（ステップＳ２２）。
【０１１０】
制御部４３は、現在のシステム設定モードがシングルモードであると判定されると、ミュート／ポーズ監視部４１を通じて、フロント側がミュート／ポーズ状態であるか否かを判定する（ステップＳ２３）。
【０１１１】
制御部４３は、フロント側がミュート／ポーズ状態であると判定されると、リア側操作部４からのキー操作を受け付けずに無効とし、そのキー操作が無効である旨をユーザに通知すべく、操作無効通知を表示部２０に表示出力させることで（ステップＳ２４）、この処理動作を終了する。尚、シングルモード中で、かつフロント側がミュート／ポーズ状態の場合、フロント側のミュート／ポーズ状態を継続したまま、リア側操作部４の動作キー操作、例えばトラックＵＰ／ＤＯＷＮキーのキー操作を受け付けず無効とする。
【０１１２】
制御部４３は、ステップＳ２３にてフロント側がミュート／ポーズ状態でないと判定されると、現在のシステム設定モードがシングルモード中であることから、リア側操作部４の動作キーのキー操作を有効に受け付け、このキー操作に応じたキー動作処理をフロント側及びリア側で実行することで（ステップＳ２５）、この処理動作を終了する。尚、制御部４３は、例えばリア側操作部４のトラックＵＰ／ＤＯＷＮキーのキー操作を受け付けると、フロント側及びリア側で現在再生中のＣＤの再生トラック位置を切り換えるものである。
【０１１３】
制御部４３は、ステップＳ２２にて現在のシステム設定モードがシングルモードでないと判定されると、デュアルモードであると判断し、フロント側及びリア側が同一の再生モードで、かつ、フロント側がミュート／ポーズ状態であるか否かを判定する（ステップＳ２６）。
【０１１４】
制御部４３は、フロント側及びリア側が同一の再生モードで、かつ、フロント側がミュート／ポーズ状態であると判定されると、リア側操作部４からの動作キーのキー操作を受け付けずに無効とし、そのキー操作が無効である旨をユーザに通知すべく、操作無効通知を表示部２０に表示出力させることで（ステップＳ２７）、この処理動作を終了する。尚、デュアルモード中、フロント側及びリア側が同一再生モード中で、かつフロント側がミュート／ポーズ状態の場合、フロント側のミュート／ポーズ状態を継続したまま、リア側操作部４の動作キー操作、例えばトラックＵＰ／ＤＯＷＮキーのキー操作を受け付けず無効とする。
【０１１５】
制御部４３は、ステップＳ２６にてフロント側及びリア側が同一の再生モードで、かつ、フロント側がミュート／ポーズ状態でないと判定されると、リア側操作部４の動作キーのキー操作を有効に受け付け、このキー操作に応じたキー動作処理をリア側のみで実行することで（ステップＳ２８）、この処理動作を終了する。尚、制御部４３は、例えばリア側操作部４のトラックＵＰ／ＤＯＷＮキーのキー操作を受け付けると、フロント側及びリア側で現在再生中のＣＤの再生トラック位置を切り換えるものである。
【０１１６】
図４に示すリア側操作キー受付処理によれば、シングルモード中においてフロント側がミュート／ポーズ状態の場合、フロント側のミュート／ポーズ状態を継続したまま、リア側操作部４からのＭＯＤＥキーによる再生モード選択操作を受け付けずに無効とすることで、フロント側の搭乗者の意思に反して、再生モードが切り換えられてしまうような事態を確実に防止することができる。
【０１１７】
図４に示すリア側操作キー受付処理によれば、シングルモード中で、かつフロント側がミュート／ポーズ状態の場合、フロント側のミュート／ポーズ状態を継続したまま、リア側操作部４からの動作キー操作、例えばトラックＵＰ／ＤＯＷＮキーのキー操作を受け付けずに無効とすることで、フロント側の搭乗者の意思に反して動作が切り換えられてしまうような事態を確実に防止することができる。
【０１１８】
図４に示すリア側操作キー受付処理によれば、デュアルモード中、フロント側及びリア側が同一再生モード中で、かつフロント側がミュート／ポーズ状態の場合、フロント側のミュート／ポーズ状態を継続したまま、リア側操作部４の動作キー操作、例えばトラックＵＰ／ＤＯＷＮキーのキー操作を受け付けずに無効とすることで、フロント側の搭乗者の意思に反して動作が切り換えられてしまうような事態を確実に防止することができる。
【０１１９】
本実施の形態によれば、フロント側及びリア側で同一再生モード中に、フロント側がミュート／ポーズ状態の場合、リア側操作部４から、そのミュート／ポーズ状態を解除する操作が行われたとしても、フロント側のミュート／ポーズ状態を継続したまま、その操作を受け付けずに無効とすることで、フロント側の搭乗者の意思に反してミュート／ポーズ状態が解除されてしまうような事態を確実に防止することができる。
【０１２０】
本実施の形態によれば、フロント側及びリア側で同一再生モード中に、フロント側操作部３のミュート／ポーズキーのキー操作でフロント側がミュート／ポーズ状態の場合、リア側操作部４から、そのミュート／ポーズ状態を解除する操作が行われたとしても、フロント側のミュート／ポーズ状態を継続したまま、その操作を受け付けずに無効とすることで、フロント側の搭乗者の意思に反してミュート／ポーズ状態が解除されてしまうような事態を確実に防止することができる。
【０１２１】
本実施の形態によれば、フロント側及びリア側で同一再生モード中に、電話割込み検出信号に基づいてフロント側がミュート／ポーズ状態の場合、リア側操作部４から、そのミュート／ポーズ状態を解除する操作が行われたとしても、フロント側のミュート／ポーズ状態を継続したまま、その操作を受け付けずに無効とすることで、フロント側の搭乗者の意思に反してミュート／ポーズ状態が解除されてしまうような事態を確実に防止することができる。
【０１２２】
本実施の形態によれば、フロント側操作部３からのキー操作に応じて、フロント側がミュート／ポーズ状態に設定されると、リア側操作部４から、そのミュート／ポーズ状態を解除する操作が行われたとしても、その操作を受け付けずに無効とすることで、リア側操作部４からフロント側のミュート／ポーズ状態が解除されてしまうような事態を確実に防止することができる。
【０１２３】
本実施の形態によれば、電話割込み信号に基づいて、フロント側がミュート／ポーズ状態に設定されると、リア側操作部４から、そのミュート／ポーズ状態を解除する操作が行われたとしても、その操作を受け付けずに無効とすることで、リア側操作部４からフロント側のミュート／ポーズ状態が解除されてしまうような事態を確実に防止することができる。
【０１２４】
尚、上記実施の形態においては、フロント側ユーザの立場にたって、フロント側のミュート／ポーズ状態がリア側操作部４からのキー操作で勝手に解除されてしまうのを防止した例について説明したが、例えばフロント側及びリア側で電話の使用状態を分別監視する機能を設け、リア側の電話使用状態を検出する電話割込み検出信号を検出すると、リア側をミュート／ポーズ状態に設定し、このリア側をミュート／ポーズ状態にした場合、フロント側操作部３からリア側のミュート／ポーズ状態を解除する操作が行われたとしても、リア側のミュート／ポーズ状態を継続したまま、その操作を受け付けずに無効とすることで、リア側の搭乗者の意思に反してミュート／ポーズ状態が解除されてしまうような事態を確実に防止することができる。
【０１２５】
また、上記実施の形態においては、図４に示すステップＳ１９、ステップＳ２４及びステップＳ２７にてキー操作が無効である旨をユーザに通知すべく、操作無効通知を表示部２０に表示出力させるようにしたが、例えばビープ音等を音声出力することで、キー操作が無効である旨をユーザに通知するようにしても良い。
【０１２６】
また、上記実施の形態においては、リア側操作部４がフロント側操作部３に比較して操作キーの受け付けについて様々な制約を受け、リア側操作部４はフロント側操作部３よりも優先順位が低い設定とし、例えばフロント側操作部３でミュート／ポーズ状態を設定した場合に、優先順位が低いリア側操作部４からミュート／ポーズ状態を解除する操作が行われたとしても、このミュート／ポーズ状態を解除する操作を受け付けずに無効とするようにしたが、例えばリア側操作部４及びフロント側操作部３に付与する優先順位を適宜変更可能な優先順位設定機能を設けることで、ミュート／ポーズ状態を解除できない操作部をユーザ側で適宜変更することができる。
【０１２７】
また、上記実施の形態においては、再生源の再生機能としてＣＤやＤＶＤ等を例にあげて説明したが、ＭＤ等の記録媒体であっても同様の効果が得られることは言うまでもない。
【０１２８】
また、上記実施の形態においては、フロント側のユーザにリア側の音声が漏れないようにするために、リア側の出力手段として、ヘッドホン６を例にあげて説明したが、フロント側のユーザに音声が漏れることなく、リア側のユーザにのみ音声が聞こえるような指向性の高いスピーカを、リア側の出力手段としても、同様の効果が得られることは言うまでもない。
【０１２９】
また、上記実施の形態においては、電話割り込みを検出すると、フロント側をミュート／ポーズ状態に設定し、リア側操作部４から、そのミュート／ポーズ状態を解除する操作が行われたとしても、その操作を受け付けずに無効とするようにしたが、次のような動作を行うようにしても良い。
【０１３０】
図５は他の実施の形態に関わる本体装置２の電話割込中リア側操作キー受付処理に関わるマイコン２１の処理動作を示すフローチャートである。
【０１３１】
図５に示す電話割込中リア側操作キー受付処理は、電話割込み中にリア側操作部４のキー操作を有効に受け付けるか、若しくは、受け付けずに無効にするかを判断する本体装置２のキー受付処理である。
【０１３２】
図５においてマイコン２１の制御部４３は、操作検出部３７を通じてリア側操作部４からのキー操作を検出したか否かを判定する（ステップＳ３１）。
【０１３３】
制御部４３は、リア側操作部４からのキー操作を検出したのであれば、電話割込み中であるか否かを判定する(ステップＳ３２)。尚、本体装置２では、電話割込み中の場合、フロント側で指定した再生源からの再生信号をミュート／ポーズ状態にし、このフロント側の出力を電話の通話音声信号に切替えた状態である。
【０１３４】
制御部４３は、ステップＳ３２にて電話割込み中でないと判定されると、例えばフロント側で指定した再生源からの再生信号を音量調整するキー操作を有効に受け付けるべく、図４に示すリア側操作キー受付処理のステップＳ１２に移行する(ステップＳ３３)。
【０１３５】
また、制御部４３は、ステップＳ３２にて電話割込み中であると判定されると、リア側操作部４のキー操作がＳＰ／ＨＰキーであるか否かを判定する（ステップＳ３４）。
【０１３６】
制御部４３は、ＳＰ／ＨＰキーのキー操作であると判定されると、現在のシステム設定モードがシングルモードであるか否かを判定する(ステップＳ３５)。
【０１３７】
制御部４３は、シングルモードであると判定されると、リア側操作部４からのＳＰ／ＨＰキーのキー操作を有効に受け付け、このキー操作に応じてデュアルモードに設定することで(ステップＳ３６)、この処理動作を終了する。
【０１３８】
制御部４３は、ステップＳ３５にてシングルモードでない、すなわちデュアルモードであると判定されると、リア側操作部４からのＳＰ／ＨＰキーのキー操作を有効に受け付け、このキー操作に応じてシングルモードに設定することで(ステップＳ３７)、この処理動作を終了する。
【０１３９】
制御部４３は、ステップＳ３４にてリア側操作部４のキー操作がＳＰ／ＨＰキーでないと判定されると、リア側操作部４からのキー操作、例えばフロント側で指定した再生源からの再生信号を音量調整するキー操作を受け付けずに無効とし、そのキー操作が無効である旨をユーザに通知すべく、操作無効通知を表示部２０に表示出力させることで（ステップＳ３８）、この処理動作を終了する。
【０１４０】
このように他の実施の形態によれば、電話機の使用中にリア側操作部４からフロント側の出力状態に影響を与えるようなキー操作、例えばＳＰ／ＨＰキー以外のキー操作が行われたとしても、このリア側操作部４のキー操作の受付を禁止するようにしたので、電話中に、例えば音量調整等で通話の邪魔となるような制御に関わるリア側操作部４のキー操作、例えば音量調整操作が有効に受け付けられてしまうような事態を確実に防止することで、良好な通話環境を提供することができる。
【０１４１】
【発明の効果】
上記のように構成された本発明の再生装置によれば、第１出力手段及び第２出力手段にて同一再生源が選択され、この選択された再生源からの再生信号が出力停止状態にあると判定されると、第２操作手段から、前記出力停止状態を解除する操作が行われたとしても、この出力停止状態の解除を禁止するようにしたので、例えば第１出力手段（フロント側）及び第２出力手段（リア側）で同一再生源を選択中に、この再生源からの再生信号が出力停止状態の場合には、第２操作手段（リア側）からの操作が行われたとしても、勝手に、この出力停止状態が解除されてしまうような事態を確実に防止することができる。
【０１４２】
また、本発明の再生装置によれば、第１操作手段からの操作に応じて、再生源からの再生信号が出力停止状態に設定されると、第２操作手段から、前記出力停止状態を解除する操作が行われたとしても、この出力停止状態の解除を禁止するようにしたので、例えばフロント側の第１操作手段の操作で再生源からの再生信号を出力停止状態とした場合、第２出力手段（リア側）からの操作が行われたとしても、この出力停止状態が解除されてしまうような事態を確実に防止することができる。
【０１４３】
また、本発明の再生装置によれば、割込み検出信号の検出に応じて、再生源からの再生信号が出力停止状態に設定されると、第１操作手段又は第２操作手段の何れか一方から、前記出力停止状態を解除する操作が行われたとしても、この出力停止状態の解除を禁止するようにしたので、割込み検出信号に基づいて再生源からの再生信号を出力停止状態とした場合、第２出力手段（リア側）からの操作が行われたとしても、この出力停止状態が解除されてしまうような事態を確実に防止することができる。
【０１４４】
また、本発明の再生装置によれば、例えば電話機の使用状態を検出する割込み検出信号に基づいて、同一再生源からの再生信号が出力停止状態になったと判定されると、この出力停止状態の再生信号に関わる操作が第２操作手段から行われたとしても、この操作の受付を禁止するようにしたので、例えば第１出力手段（フロント側）及び第２出力手段（リア側）で同一再生源を選択中に、電話機の使用状態を検出する割込み検出信号に基づいて、この再生源からの再生信号が出力停止状態の場合、この出力停止状態の再生信号に関わる第２操作手段（リア側）からの操作が行われたとしても、この操作が有効に受け付けられてしまうのを確実に防止することができる。
【０１４５】
また、本発明の再生装置によれば、例えば電話機の使用状態を検出すると、第１出力手段(フロント側)にて選択した再生源からの再生信号に関わる出力状態を制御する操作が第２操作手段(リア側)から行われたとしても、この第２操作手段の操作の受付を禁止するようにしたので、電話中に、例えば通話の邪魔となるような制御に関わる第２操作手段（リア側）の操作が有効に受け付けられてしまうような事態を確実に防止することで、良好な通話環境を提供することができる。
【０１４６】
本発明の再生装置によれば、例えば電話機の使用状態を検出すると、第１出力手段(フロント側)にて選択した再生源からの再生信号の音量を調整する操作が第２操作手段(リア側)から行われたとしても、この第２操作手段の操作の受付を禁止するようにしたので、電話中に、例えばフロント側の通話の邪魔となるような音量調整に関わる第２操作手段（リア側）の操作が有効に受け付けられてしまうような事態を確実に防止することで、良好な通話環境を提供することができる。
【図面の簡単な説明】
【図１】本発明の再生装置に関わる実施の形態を示す車載用オーディオシステムの全体構成を示すシステム構成図である。
【図２】本実施の形態に関わる本体装置内部の概略構成を示すブロック図である。
【図３】本実施の形態に関わる本体装置のマイコン内部の概略構成を示すブロック図である。
【図４】本実施の形態に関わる本体装置のリア側操作キー受付処理に関わるマイコンの処理動作を示すフローチャートである。
【図５】他の実施の形態に関わる本体装置の電話割込中リア側操作キー受付処理に関わるマイコンの処理動作を示すフローチャートである。
【図６】一般的なデュアルメディア機能を備えた車載用オーディオシステムの全体構成を示すシステム構成図である。
【符号の説明】
１  車載用オーディオシステム
２  本体装置（再生装置）
３  フロント側操作部（第１操作手段）
４  リア側操作部（第２操作手段）
５  スピーカ（第１出力手段）
６  ヘッドホン（第２出力手段）
７  外部ＤＶＤ装置（再生源）
１２  ＣＤ再生部（再生源）
１３  ＡＭ／ＦＭラジオ用チューナ部（再生源）
１４  ＳＡＴラジオ用チューナ部（再生源）
３４  出力切換制御部（第１出力手段、第２出力手段、制御手段、出力停止設定手段）
３５  ミュート制御部（第１出力手段、第２出力手段、制御手段、出力停止設定手段）
４２  ＴＥＬ割込み検出部（割込み検出手段）
４３  制御部（制御手段、出力停止設定手段）
【図１】
2004161233.tif 000003
【図２】
2004161233.tif 000004
【図３】
2004161233.tif 000005
【図４】
2004161233.tif 000006
【図５】
2004161233.tif 000007
【図６】
2004161233.tif 000008